(57)【要約】【課題】  筆記具のクリップにおいて、クリップの先端を開口しやすく、かつ保持力を強くし、経済的に得られるようにする。【解決手段】  クリップ本体（４）とホルダー本体（５）を、揺動可能な屈曲片（６）で連結する。クリップ基端（７）、屈曲片（６）及び支持基端（８）の外周を軟質被覆層（１３）で被覆すると共にクリップ本体（４）と支持基端（８）間を一体的な弾性連結部（１４）で連結する。クリップ本体（４）の後端とホルダー本体（５）を指先でつまむと、クリップ本体の先端が開口する。弾性連結部（１４）の復元力が保持力に付加され、クリップによる保持力は強化される。【選択図】      図３
2006315179.tif 000002
【特許請求の範囲】
【請求項１】
軸筒、クリップホルダー等の支持部材にクリップ本体を設けた筆記具のクリップにおいて、上記クリップ本体の先端を開口可能に支持するようクリップ本体のクリップ基端と支持部材の支持基端を揺動可能な屈曲片で連結し、上記クリップ基端、支持基端及び屈曲片の外周に軟質材料で構成した軟質被覆層を形成すると共に上記クリップ基端より前方のクリップ本体と上記支持基端間を軟質材料で構成した弾性連結部で連結したことを特徴とする筆記具のクリップ。
【請求項２】
上記クリップ本体のクリップ基端は、支持部材の支持基端よりも後方に位置している請求項１に記載の筆記具のクリップ。
【請求項３】
上記クリップ本体の後端と支持部材間にはクリップ本体の揺動間隙が設けられている請求項２に記載の筆記具のクリップ。
【請求項４】
上記屈曲片は、上記クリップ本体に沿って延びる並行部を有し、該並行部の両端にそれぞれ上記クリップ基端及び支持基端に一体的に連結する端部を有している請求項１ないし３のいずれかに記載の筆記具のクリップ。
【発明の詳細な説明】
【技術分野】
【０００１】
本発明はシャープペンシル、ボールペン、マーカーその他の筆記具のクリップに関するものである。
【背景技術】
【０００２】
筆記具のクリップは、軸筒、キャップ、クリップホルダー等の支持部材と一体的に形成したり、別体にクリップ本体を形成して支持部材に組み付けて設けられている。別体の場合には、クリップ本体やばね部をプラスチック材料や金属材料で作り、それらを組み付ける構造のため部品点数も多くなり、コスト的にも経済的に得にくくなる。また、クリップ本体を軸筒等と一体的に作り、クリップの一部にエラストマー樹脂部を設けた筆記具も知られている（例えば、特許文献１参照）が、クリップ本体が軸筒に直結的に一体成形されているので、クリップを使用する場合には、クリップの先端をポケット等の被保持部に当てがって該先端を開口させて差し込まなければならない。そのため、クリップの保持力を強くすると、クリップの先端を簡単に開口させることができず、使用しにくくなり、一方容易に差し込めるよう保持力を弱くすると、脱落しやすくなる。
【特許文献１】特開２００１−１０２８７号公報（特許請求の範囲、図３、図４）
【発明の開示】
【発明が解決しようとする課題】
【０００３】
本発明の解決課題は、上記の如き筆記具のクリップにおいて、ポケット等の被保持部に差し込みやすく、保持力も強く、また使用の際に指先が滑りにくく、部品点数も少なく、経済的に得られるようにした筆記具のクリップを提供することである。
【課題を解決するための手段】
【０００４】
本発明によれば、軸筒、クリップホルダー等の支持部材にクリップ本体を設けた筆記具のクリップにおいて、上記クリップ本体の先端を開口可能に支持するようクリップ本体のクリップ基端と支持部材の支持基端を揺動可能な屈曲片で連結し、上記クリップ基端、支持基端及び屈曲片の外周に軟質材料で構成した軟質被覆層を形成すると共に上記クリップ基端より前方のクリップ本体と上記支持基端間を軟質材料で構成した弾性連結部で連結したことを特徴とする筆記具のクリップが提供され、好ましくは、上記クリップ基端は支持基端より後方に位置し、クリップの後端と支持部材間には、クリップ本体の揺動間隙が設けられている。
【発明の効果】
【０００５】
本発明の上記のように構成され、クリップ本体と支持部材を揺動可能な屈曲片により開口可能に連結したので、クリップの先端を容易に開口させることができ、またクリップ本体と支持部材の支持基端間を軟質材料で構成した弾性連結部で連結したから、クリップの先端を開口させる際に該弾性連結部に作用する復元力がクリップ本体を支持部材側に弾性的に引き寄せる保持力として付加され、クリップ本体の保持力を強くすることができる。その上、上記クリップの先端を開口させるとき、指先が当るクリップの後端と支持部材の外周は軟質被覆層で被覆されているから、指先が滑りにくく、使いやすくすることができる。
【発明を実施するための最良の形態】
【０００６】
図１、図２は本発明の一実施例を示し、クリップ（１）は、軸筒、キャップ、クリップホルダーその他適宜の支持部材に設けることができるが、図においては筆記具（２）の軸筒の後端に取り付けられるクリップホルダー（３）に形成されており、金属材料若しくは図に示すようにプラスチック材料により一体成形されたクリップ本体（４）、ホルダー本体（５）及び屈曲片（６）を具備している。
【０００７】
上記屈曲片（６）は、クリップ本体（４）の先端を開口可能に支持するようクリップ基端（７）とホルダー本体（５）の支持基端（８）を連結し、揺動可能に設けられている。該屈曲片（６）の揺動構造は適宜にできるが、図１、図２に示す屈曲片（６）は、上記クリップ本体（４）に沿ってほぼ並行に延びる並行部（９）を有し、該並行部（９）の両端にそれぞれ上記クリップ基端（７）及び支持基端（８）に一体的に連結する略Ｌ字状の端部（１０）を有している。なお、図４（Ａ）に示すように、並行部（９）の途中に略Ｕ字状の撓み部（１１）を設けたり、並行部（９）を傾斜させて設けたり（図４（Ｂ））、その他適宜の形状にしてもよい。
【０００８】
また、上記屈曲片（６）により連結されるクリップ基端と支持基端は、適宜位置に設けることができるが、筆記具の軸筒の軸方向に沿って、好ましくは、クリップ基端（７）が支持基端（８）よりも後方に位置するよう設けるとよい。このようにすると、クリップ本体の後端と支持部材間にクリップ本体の揺動間隙（１２）を確実に形成するすることができ、使いやすくできる。なお、屈曲片の構造によってはクリップ基端を支持基端よりも前方に設けることもできる。
【０００９】
而して、クリップ基端（７）、支持基端（８）及び屈曲片（６）の外周には、軟質材料で構成した軟質被覆層（１３）が形成され、また上記クリップ基端より前方のクリップ本体（４）と上記支持基端（８）間には軟質材料で形成した弾性連結部（１４）が上記軟質被覆層（１３）と同時に一体的に形成されているが、軟質被覆層と弾性連結部の材質、強度等を変えて設けてもよい。上記軟質材料としてはエラストマー樹脂等が好適に用いられ、多色成形やインサート成形の要領により上記クリップ本体等と一体的に成形される。
【００１０】
上記の構成により、クリップを使用するには、図３に示すようにクリップ本体（４）の後端とホルダー本体（５）を指先でつまめば、指先が滑ることなくクリップ本体（４）の先端が容易に開口するので、ポケット等の被保持部に簡単に差し込むこともできる。指先を離せば、上記弾性連結部（１４）に作用する矢印（１５）方向の復元力がクリップ本体の保持力に付加されるので、ポケット等から脱落しにくくすることができる。
【図面の簡単な説明】
【００１１】
【図１】本発明の一実施例を示す正面図。
【図２】クリップ部分の断面図。
【図３】使用状態の説明図。
【図４】（Ａ）、（Ｂ）はそれぞれ変形例を示す一部の説明図。
【符号の説明】
【００１２】
１    クリップ
３    クリップホルダー
４    クリップ本体
５    ホルダー本体
６    屈曲片
７    クリップ基端
８    支持基端
１３    軟質被覆層
１４    弾性連結部
【図１】
2006315179.tif 000003
【図２】
2006315179.tif 000004
【図３】
2006315179.tif 000005
【図４】
2006315179.tif 000006